(57)【要約】      （修正有）【課題】掃除の対象物を損傷することを抑制することができる掃除機用ノズルを提供する。【解決手段】掃除機用ノズル５０は、全体が筒状で弾性を有する透明な筒状弾性部５１である。筒状弾性部５１は、一方の先端部分に配置されて掃除機の延長管に差し込まれて連結される連結部５２と、連結部５２とは反対側の先端に配置された吸い込み口５３とを有している。吸い込み口５３は、筒状弾性部５１の延在方向に対して斜めに傾斜した斜部５３ａと、筒状弾性部５１の延在方向に対して直交した切欠部５３ｂとを有しており、部分的に傾斜が異なっている。【選択図】図２
0003130530.tif 000002
【実用新案登録請求の範囲】
【請求項１】
筒状で弾性を有する筒状弾性部を備え、
前記筒状弾性部は、先端に吸い込み口を有することを特徴とする掃除機用ノズル。
【請求項２】
前記吸い込み口は、部分的に傾斜が異なっていることを特徴とする請求項１に記載の掃除機用ノズル。
【請求項３】
前記筒状弾性部は、先端部分に前記吸い込み口とは別に貫通孔が開けられていることを特徴とする請求項１又は請求項２に記載の掃除機用ノズル。
【請求項４】
前記筒状弾性部は、透明であることを特徴とする請求項１から請求項３までの何れかに記載の掃除機用ノズル。
【考案の詳細な説明】
【技術分野】
【０００１】
本考案は、掃除機用ノズルに関する。
【背景技術】
【０００２】
従来の掃除機用ノズルとして、ポリプロピレン製の隙間用のノズルが知られている。
【考案の開示】
【考案が解決しようとする課題】
【０００３】
しかしながら、従来の掃除機用ノズルにおいては、材質が硬いので、家具などの掃除の対象物に吸い込み口が接触した際に、対象物を損傷してしまうという問題がある。
【０００４】
本考案は、従来の問題を解決するためになされたもので、掃除の対象物を損傷することを従来より抑制することができる掃除機用ノズルを提供することを目的とする。
【課題を解決するための手段】
【０００５】
本考案の掃除機用ノズルは、筒状で弾性を有する筒状弾性部を備え、前記筒状弾性部は、先端に吸い込み口を有することを特徴とする。
【０００６】
この構成により、本考案の掃除機用ノズルは、吸い込み口が弾性を有するので、家具などの掃除の対象物に吸い込み口が接触した際に、対象物を損傷することを従来より抑制することができる。また、本考案の掃除機用ノズルは、対象物を損傷することを従来より抑制することができるので、弾性を有する吸い込み口を対象物に擦り付けることができ、掃除性能を従来より向上することができる。また、本考案の掃除機用ノズルは、弾性を有する吸い込み口が対象物の形状に変形し、対象物に密着して吸い付くことができるので、吸引力を従来より向上することができる。
【０００７】
また、本考案の掃除機用ノズルの前記吸い込み口は、部分的に傾斜が異なっていることを特徴とする。
【０００８】
この構成により、本考案の掃除機用ノズルは、平らな対象物に吸い込み口が密着して吸い付く場合であっても、吸い込み口の少なくとも一部が対象物から離れており、吸い込み口のうち対象物から離れている部分を介して筒状弾性部の内部と外部とが連通しているので、筒状弾性部の内部の気圧が下がり過ぎることを抑制することができる。したがって、本考案の掃除機用ノズルは、対象物に吸い付き過ぎて移動し難くなることを抑制することができ、操作者に対象物を容易に掃除させることができる。
【０００９】
また、本考案の掃除機用ノズルの前記筒状弾性部は、先端部分に前記吸い込み口とは別に貫通孔が開けられていることを特徴とする。
【００１０】
この構成により、本考案の掃除機用ノズルは、対象物に吸い込み口の全体が密着して吸い付いている場合であっても、吸い込み口とは別に開けられた貫通孔を介して筒状弾性部の内部と外部とが連通しているので、筒状弾性部の内部の気圧が下がり過ぎることを抑制することができる。したがって、本考案の掃除機用ノズルは、対象物に吸い付き過ぎて移動し難くなることを抑制することができ、操作者に対象物を容易に掃除させることができる。
【００１１】
また、本考案の掃除機用ノズルの前記筒状弾性部は、透明であることを特徴とする。
【００１２】
この構成により、本考案の掃除機用ノズルは、ゴミが吸い取れているか否かを操作者に目視させながら掃除させることができる。
【考案の効果】
【００１３】
本考案によれば、掃除の対象物を損傷することを従来より抑制することができる掃除機用ノズルを提供することができる。
【考案を実施するための最良の形態】
【００１４】
以下、本考案の実施の形態について、図面を用いて説明する。
【００１５】
（第１の実施の形態）
まず、本考案の第１の実施の形態に係る掃除機用ノズルの構成について説明する。
【００１６】
図１は、本実施の形態に係る掃除機用ノズル５０を備えた掃除機１０の斜視図である。図２（ａ）は、掃除機用ノズル５０の正面図である。図２（ｂ）は、掃除機用ノズル５０の背面図である。図２（ｃ）は、掃除機用ノズル５０の側面図である。図２（ｄ）は、掃除機用ノズル５０の底面図である。
【００１７】
図１に示すように、掃除機１０は、本体２０と、本体２０に連結されたホース３０と、ホース３０に連結された延長管４０と、延長管４０に差し込まれて連結された掃除機用ノズル５０とを備えている。なお、掃除機用ノズル５０は、延長管４０を介さずにホース３０に直接差し込まれても良い。
【００１８】
図２に示すように、掃除機用ノズル５０は、全体が筒状で弾性を有する筒状弾性部５１である。掃除機用ノズル５０は、透明なビニールホースを切断して作成したものである。
【００１９】
筒状弾性部５１は、一方の先端部分に配置されてホース３０（図１参照。）又は延長管４０（図１参照。）に差し込まれて連結される連結部５２と、連結部５２とは反対側の先端に配置された吸い込み口５３とを有している。
【００２０】
吸い込み口５３は、筒状弾性部５１の延在方向に対して斜めに傾斜した斜部５３ａと、筒状弾性部５１の延在方向に対して直交した切欠部５３ｂとを有しており、部分的に傾斜が異なっている。
【００２１】
次に、掃除機用ノズル５０の動作について説明する。
【００２２】
掃除機用ノズル５０は、図３に示すように、弾性を有する吸い込み口５３が掃除の対象物９０の形状に変形し、対象物９０に密着して吸い付く。
【００２３】
ここで、掃除機用ノズル５０は、吸い込み口５３の傾斜が部分的に異なっているので、図４に示すように、平らな対象物９０に吸い込み口５３のうち斜部５３ａが密着して吸い付く場合であっても、切欠部５３ｂが対象物９０から離れており、切欠部５３ｂによって形成された穴５３ｃを介して筒状弾性部５１の内部と外部とが連通している。
【００２４】
以上に説明したように、掃除機用ノズル５０は、吸い込み口５３が弾性を有するので、家具などの対象物９０に吸い込み口５３が接触した際に、対象物９０を損傷することを従来より抑制することができる。したがって、掃除機用ノズル５０は、例えば、仏壇などの高級家具や、破れやすい紙が張られた障子の組子を掃除することに適している。
【００２５】
また、掃除機用ノズル５０は、対象物９０を損傷することを従来より抑制することができるので、弾性を有する吸い込み口５３を対象物９０に擦り付けることができ、掃除性能を従来より向上することができる。したがって、掃除機用ノズル５０は、例えば、畳、絨毯などを拭くように掃除することができる。
【００２６】
また、掃除機用ノズル５０は、弾性を有する吸い込み口５３が対象物９０の形状に変形し、対象物９０に密着して吸い付くことができるので、吸引力を従来より向上することができる。したがって、掃除機用ノズル５０は、例えば、書物やビデオテープなどの多数の小物が並べられた棚、サッシの溝、床と家具との隙間、靴の中などの狭い場所を掃除することに適している。
【００２７】
また、掃除機用ノズル５０は、平らな対象物９０に吸い込み口５３のうち斜部５３ａが密着して吸い付く場合であっても、切欠部５３ｂが対象物９０から離れており、切欠部５３ｂによって形成された穴５３ｃを介して筒状弾性部５１の内部と外部とが連通しているので、筒状弾性部５１の内部の気圧が下がり過ぎることを抑制することができる。したがって、掃除機用ノズル５０は、対象物９０に吸い付き過ぎて移動し難くなることを抑制することができ、操作者に対象物９０を容易に掃除させることができる。
【００２８】
また、掃除機用ノズル５０は、筒状弾性部５１が透明であるので、図５に示すように、ゴミ９１が吸い取れているか否かを操作者に目視させながら掃除させることができる。
【００２９】
なお、掃除機用ノズル５０は、連結部５２側の先端を吸い込み口として使用し、吸い込み口５３側の先端部分を連結部として使用することもできる。
【００３０】
（第２の実施の形態）
まず、本考案の第２の実施の形態に係る掃除機用ノズルの構成について説明する。
【００３１】
図６（ａ）は、本実施の形態に係る掃除機用ノズル６０の側面図である。図６（ｂ）は、掃除機用ノズル６０の上面図である。図６（ｃ）は、掃除機用ノズル６０の底面図である。
【００３２】
図６に示すように、掃除機用ノズル６０は、全体が筒状で弾性を有する筒状弾性部６１である。掃除機用ノズル６０は、透明なビニールホースを切断して作成したものである。
【００３３】
筒状弾性部６１は、一方の先端部分に配置されてホース３０（図１参照。）又は延長管４０（図１参照。）に差し込まれて連結される連結部６２と、連結部６２とは反対側の先端に配置された吸い込み口６３と、吸い込み口６３と同一側の先端部分に配置されて吸い込み口６３とは別に設けられた貫通孔６４とを有している。
【００３４】
吸い込み口６３は、筒状弾性部６１の延在方向に対して斜めに傾斜している。
【００３５】
次に、掃除機用ノズル６０の動作について説明する。
【００３６】
掃除機用ノズル６０は、図７に示すように、弾性を有する吸い込み口６３が掃除の対象物９０の形状に変形し、対象物９０に密着して吸い付く。
【００３７】
ここで、掃除機用ノズル６０は、先端部分に吸い込み口６３とは別に貫通孔６４が開けられているので、対象物９０に吸い込み口６３の全体が密着して吸い付いている場合であっても、吸い込み口６３とは別に開けられた貫通孔６４を介して筒状弾性部６１の内部と外部とが連通している。
【００３８】
以上に説明したように、掃除機用ノズル６０は、吸い込み口６３が弾性を有するので、家具などの対象物９０に吸い込み口６３が接触した際に、対象物９０を損傷することを従来より抑制することができる。したがって、掃除機用ノズル６０は、例えば、仏壇などの高級家具や、破れやすい紙が張られた障子の組子を掃除することに適している。
【００３９】
また、掃除機用ノズル６０は、対象物９０を損傷することを従来より抑制することができるので、弾性を有する吸い込み口６３を対象物９０に擦り付けることができ、掃除性能を従来より向上することができる。したがって、掃除機用ノズル６０は、例えば、畳、絨毯などを拭くように掃除することができる。
【００４０】
また、掃除機用ノズル６０は、弾性を有する吸い込み口６３が対象物９０の形状に変形し、対象物９０に密着して吸い付くことができるので、吸引力を従来より向上することができる。したがって、掃除機用ノズル６０は、例えば、書物やビデオテープなどの多数の小物が並べられた棚、サッシの溝、床と家具との隙間、靴の中などの狭い場所を掃除することに適している。
【００４１】
また、掃除機用ノズル６０は、対象物９０に吸い込み口６３の全体が密着して吸い付いている場合であっても、吸い込み口６３とは別に開けられた貫通孔６４を介して筒状弾性部６１の内部と外部とが連通しているので、筒状弾性部６１の内部の気圧が下がり過ぎることを抑制することができる。したがって、掃除機用ノズル６０は、対象物９０に吸い付き過ぎて移動し難くなることを抑制することができ、操作者に対象物９０を容易に掃除させることができる。
【００４２】
また、掃除機用ノズル６０は、筒状弾性部６１が透明であるので、ゴミが吸い取れているか否かを操作者に目視させながら掃除させることができる。
【００４３】
なお、掃除機用ノズル６０は、連結部６２側の先端を吸い込み口として使用し、吸い込み口６３側の先端部分を連結部として使用することもできる。
【図面の簡単な説明】
【００４４】
【図１】本考案の第１の実施の形態に係る掃除機用ノズルを備えた掃除機の斜視図である。
【図２】（ａ）図１に示す掃除機用ノズルの正面図である。  （ｂ）図１に示す掃除機用ノズルの背面図である。  （ｃ）図１に示す掃除機用ノズルの側面図である。  （ｄ）図１に示す掃除機用ノズルの底面図である。
【図３】掃除中の図１に示す掃除機用ノズルの斜視図である。
【図４】掃除中の図１に示す掃除機用ノズルの正面図である。
【図５】掃除中の図１に示す掃除機用ノズルの上面図である。
【図６】（ａ）本考案の第２の実施の形態に係る掃除機用ノズルの側面図である。  （ｂ）図６（ａ）に示す掃除機用ノズルの上面図である。  （ｃ）図６（ａ）に示す掃除機用ノズルの底面図である。
【図７】掃除中の図６に示す掃除機用ノズルの斜視図である。
【符号の説明】
【００４５】
５０  掃除機用ノズル
５１  筒状弾性部
５３  吸い込み口
６０  掃除機用ノズル
６１  筒状弾性部
６３  吸い込み口
６４  貫通孔
【図１】
0003130530.tif 000003
【図２】
0003130530.tif 000004
【図３】
0003130530.tif 000005
【図４】
0003130530.tif 000006
【図５】
0003130530.tif 000007
【図６】
0003130530.tif 000008
【図７】
0003130530.tif 000009